(57)【要約】【課題】  中心子撚導体の周囲に６本の子撚導体を親撚りした電線において、中心子撚導体の飛び出しを防止する。【解決手段】  本発明の撚線導体の製造方法は、複数本の素線導体を撚り合わせた中心子撚導体２の周囲に、複数本の素線導体を撚り合わせた６本の子撚導体３を、中心子撚導体２における素線導体の撚り方向と同じ方向に親撚りして、撚線導体１を製造する。また、本発明の電線１０は、撚線導体１の周囲に被覆１１が設けられている。【選択図】  図２
2005251608.tif 000002
【特許請求の範囲】
【請求項１】
複数本の素線導体を撚り合わせた中心子撚導体の周囲に、
複数本の素線導体を撚り合わせた６本の子撚導体を、前記中心子撚導体における前記素線導体の撚り方向と同じ方向に親撚りする撚線導体の製造方法。
【請求項２】
複数本の素線導体を撚り合わせた中心子撚導体の周囲に、複数本の素線導体を撚り合わせた６本の子撚導体が親撚りされた撚線導体であって、
前記中心子撚導体における前記素線導体の撚り方向が、前記親撚りの方向と同じである撚線導体。
【請求項３】
請求項１または２に記載の撚線導体の周囲に、絶縁体の被覆が設けられている電線。
【発明の詳細な説明】
【技術分野】
【０００１】
本発明は、複合撚線の形態をなす撚線導体の製造方法、撚線導体及び電線に関する。
【背景技術】
【０００２】
各種電気機器の通電に用いられる電線として、複合撚線が広く用いられている。複合撚線は、複数本の素線導体を撚り合わせて（子撚りと呼ばれる）形成された子撚導体を複数本用意し、それらをさらに撚り合わせて（親撚りと呼ばれる）形成されたものである。子撚導体を構成する素線導体には、軟銅線等の導電性金属が用いられている。
【０００３】
複合撚線の形態として代表的なものの一つに、１本の子撚導体の周囲に６本の子撚導体を親撚りして形成された、７本の子撚導体からなる撚線導体がある。従来の７本の子撚導体からなる撚線導体を図４に示す。図４は、撚線導体の各部材の撚り方向を示す断面模式図であり、矢印が撚り方向を示している。図４に示す撚線導体５０は、中心に複数本の素線導体を左撚りした子撚導体５１が配置され、この子撚導体５１の周囲に、外層をなす親撚りとして、複数本の素線導体を左撚りした６本の子撚導体５２が右撚りされている。
【０００４】
複合撚線の撚り方向は、撚線導体の電気的特性や機械的な特性に影響を与える要素であり、特に複数層にわたって親撚りが設けられた撚線導体では、撚り方向に起因する不具合をなくすために種々の形態が提案されている（例えば、特許文献１参照）。
【０００５】
【特許文献１】特開平８−２４９９２６号公報
【発明の開示】
【発明が解決しようとする課題】
【０００６】
ところで、図４に示したような７本の子撚導体からなる撚線導体５０では、中心に配置された子撚導体５１の撚り方向に対して、６本の子撚導体５２は逆方向に親撚りして形成されている。この撚線導体５０を製造する際には、中心の子撚導体５１の周囲に外層をなす子撚導体５２を子撚導体５１の長手方向に沿って順次螺旋状に撚り合わせていく。
【０００７】
その際、既に親撚りされた箇所から、中心にあるべきはずの子撚導体５１を構成する素線導体が外層の親撚りを構成する子撚導体５２の間から飛び出してしまうことがあった。素線導体が１本でも飛び出してしまった場合、飛び出した箇所が外観不良となり製品として相応しくない。また、最初は素線導体の飛び出しが１本ないし２本程度であっても、さらに飛び出す素線導体の本数が増えてしまうことがあり、例えば図５に示すように、子撚導体５１の多くの素線導体が飛び出してしまうおそれがあった。多くの素線導体が飛び出してしまった場合には、飛び出した箇所は撚線導体としての形状が不安定となり、折れ曲がりやすくなってしまう。
【０００８】
本発明は、中心子撚導体の周囲に６本の子撚導体を親撚りした電線において、中心子撚導体の飛び出しを防止することのできる撚線導体の製造方法、撚線導体及び電線を提供することを目的としている。
【課題を解決するための手段】
【０００９】
本発明者は、中心子撚導体の飛び出しの発生原因について鋭意検討を重ねた結果、中心子撚導体における素線導体の撚り方向と、親撚り方向との関係に起因して飛び出しが起こるものであることを見出した。
【００１０】
従来、中心子撚導体の周囲に外層となる子撚導体を撚り合わせる際には、外層の子撚導体が、撚られながら中心子撚導体に接触するとともに、中心子撚導体を構成する素線導体の撚り方向と逆方向の力を中心子撚導体に対して作用させる。これにより、中心子撚導体を構成する素線導体の撚りが親撚り方向に若干戻され、この戻りが長手方向に亘って次第に蓄積されると、親撚りされた撚線導体の長さに対して中心子撚導体の長さが余ることとなる。この余剰分の長さが撚線導体の長手方向に延ばされずに逃げ場を失い、結果として撚線導体の径方向に向かう力が強く働いて外層をなす子撚導体の間から中心子撚導体が飛び出してしまう。
本発明者はこの現象を鑑みて、次に示す手段を発明した。
【００１１】
上記目的を達成することのできる本発明に係る撚線導体の製造方法は、複数本の素線導体を撚り合わせた中心子撚導体の周囲に、複数本の素線導体を撚り合わせた６本の子撚導体を、前記中心子撚導体における前記素線導体の撚り方向と同じ方向に親撚りすることを特徴としている。
【００１２】
上記目的を達成することのできる本発明に係る撚線導体は、複数本の素線導体を撚り合わせた中心子撚導体の周囲に、複数本の素線導体を撚り合わせた６本の子撚導体が親撚りされた撚線導体であって、前記中心子撚導体における前記素線導体の撚り方向が、前記親撚りの方向と同じであることを特徴としている。
【００１３】
また、上記目的を達成することのできる本発明に係る電線は、上記本発明の撚線導体の周囲に、絶縁体の被覆が設けられているものである。
【発明の効果】
【００１４】
本発明の撚線導体の製造方法、撚線導体及び電線によれば、中心子撚導体における素線導体の撚り方向と親撚りの方向とを同じにしているため、中心子撚導体の撚り戻しが起こらず、飛び出しの発生を防止することができる。
【発明を実施するための最良の形態】
【００１５】
以下、本発明に係る撚線導体の製造方法、撚線導体及び電線の実施の形態の例を、図面を参照して説明する。
図１及び図２に、本実施形態の撚線導体を示す。図１は、撚線導体の構成を明確に示すために、便宜上外層の子撚導体から中心子撚導体を露呈させた状態の斜視図であり、図２は、撚線導体の各部材の撚り方向を示す断面模式図である。なお、図２において、各部材の撚り方向を矢印にて示している。
【００１６】
図１及び図２に示すように、撚線導体１は、合計７本の子撚導体２，３からなる複合撚線であり、中央の軸線上に配置した１本の中心子撚導体２の周囲に外層となる６本の子撚導体３が螺旋状に親撚りされて形成されている。中心子撚導体２及び子撚導体３は、それぞれ複数本の導電性の素線導体を螺旋状に撚って形成したものであり、例えば本実施形態では、外径０．１８ｍｍの錫メッキ軟銅素線を４２本集合させて右撚り（Ｓ撚り）したものを用いている。
【００１７】
図１及び図２に示す撚線導体１を製造するには、中心子撚導体２の長手方向に沿って、中心子撚導体２の周囲に６本の子撚導体３を順次集合させるとともに、中心子撚導体２における素線導体の撚り方向と同じ方向に子撚導体３を順次螺旋状に撚り合わせる。本実施形態では、中心子撚導体２の子撚り方向を右撚りとしているため、子撚導体３の親撚り方向も右撚りとしている。
【００１８】
なお、中心子撚導体２の素線導体が左撚り（Ｚ撚り）されている場合には、子撚導体３の親撚り方向も左撚りとする。また、外層をなす子撚導体３を構成する素線導体の子撚り方向は、中心子撚導体２と同じ方向である必要なない。
【００１９】
このように、本実施形態の撚線導体１は、中心子撚導体２における素線導体の子撚り方向とその周囲に親撚りした６本の子撚導体３の親撚り方向を共に同じ方向の右撚りとして形成されている。中心子撚導体２の子撚り方向とその外周の子撚導体３の親撚り方向を同じとすると、外層となる子撚導体３を親撚りする際に、中心子撚導体２は素線導体の撚り方向と同じ方向の力を子撚導体３から受ける。そのため、中心子撚導体２の素線導体が撚り戻されることはなく、撚線導体１の長手方向に余剰分の長さが発生することがない。これにより、子撚導体３の間から中心子撚導体２が飛び出すことを確実に防止できる。また、撚線導体１の内部応力は小さく抑えられ、撚線導体１の形状が安定する。
【００２０】
また、撚線導体１は、その配線時には通常、図３に示すように、周囲に被覆１１が設けられており、電線１０としての形態をなしている。被覆１１は、絶縁体の樹脂であり、ポリエチレンやポリ塩化ビニル等を用いることができる。この被覆１１は、ダイスによる押し出し成形により形成されている。電線１０は、中心子撚導体２の飛び出しの無い撚線導体１を用いて構成されているため、被覆１１を形成する際に凹凸の発生等の不具合を防止でき、長手方向にわたって良好な形状で形成されている。
【００２１】
以上説明したように、本実施形態の撚線導体の製造方法、撚線導体及び電線によれば、中心子撚導体の撚り戻しを発生させず、電線の形状を長手方向にわたって安定化させることができる。これにより、飛び出しの発生を防止して外観の良好な撚線導体及び電線を得ることができる。
【図面の簡単な説明】
【００２２】
【図１】本発明に係る撚線導体の一実施形態を示す斜視図である。
【図２】図１に示した撚線導体の撚り方向を示す断面図である。
【図３】本発明に係る電線の一実施形態を示す断面図である。
【図４】従来の撚線導体の撚り方向を示す断面図である。
【図５】従来の撚線導体の一例を示す斜視図である。
【符号の説明】
【００２３】
１  撚線導体
２，３  子撚導体
１０  電線
１１  被覆
【図１】
2005251608.tif 000003
【図２】
2005251608.tif 000004
【図３】
2005251608.tif 000005
【図４】
2005251608.tif 000006
【図５】
2005251608.tif 000007